(57)【特許請求の範囲】
【請求項１】
パケット信号を構成する複数の伝送単位を順に送信する送信手段と、
通信相手局から受信される送信電力制御情報に基づいて、送信中のパケット信号の品質が前記通信相手局において所定品質より劣化しているか否かを判定する判定手段と、
前記送信中のパケット信号の品質が所定品質より劣化していると判定された場合に、前記送信中のパケット信号を構成する伝送単位のうち前記判定以降に送信される伝送単位に対する送信電力制御を停止し、前記送信中のパケット信号の次に送信されるパケット信号の最初の伝送単位に対して、前記送信中のパケット信号を構成する伝送単位に対する送信電力制御情報であって前記判定以降に受信される送信電力制御情報に基づいた送信電力制御を行う制御手段と、
を具備することを特徴とするパケット通信装置。
【請求項２】
前記判定以降に受信される送信電力制御情報を格納する格納手段、をさらに具備し、
前記制御手段は、
前記格納手段に格納された送信電力制御情報を、前記パケット信号の次に送信されるパケット信号の最初の伝送単位に対して一括して反映させることを特徴とする請求項１記載のパケット通信装置。
【請求項３】
前記制御手段は、
前記パケット信号の品質が劣化していると判定された場合に、前記複数の伝送単位のうち前記判定以降に送信される伝送単位の制御チャネル部分のみに対して、前記判定以降に受信される送信電力制御情報に基づいた送信電力制御を行う制御チャネル電力制御手段と、
前記複数の伝送単位のうち前記判定以降に送信される伝送単位のデータチャネル部分に対する送信電力制御を停止し、前記パケット信号の次に送信されるパケット信号の最初の伝送単位のデータチャネル部分の送信電力を、前記パケット信号の最後の伝送単位の制御チャネル部分の送信電力に基づいて設定するデータチャネル電力制御手段と、
を具備することを特徴とする請求項１記載のパケット通信装置。
【請求項４】
前記データチャネル電力制御手段は、
前記パケット信号の次に送信されるパケット信号の最初の伝送単位のデータチャネル部分の送信電力を、前記パケット信号の最後の伝送単位の制御チャネル部分の送信電力に一致させることを特徴とする請求項３記載のパケット通信装置。
【請求項５】
前記判定手段は、
送信電力を増加させる旨の送信電力制御情報が所定の回数連続して受信された場合に、前記パケット信号の品質が前記通信相手局において所定品質より劣化していると判定することを特徴とする請求項１記載のパケット通信装置。
【請求項６】
パケット信号を構成する複数の伝送単位を順に送信する工程と、
通信相手局から受信する送信電力制御情報に基づいて、送信中のパケット信号の品質が前記通信相手局において所定品質より劣化しているか否かを判定する工程と、
前記送信中のパケット信号の品質が所定品質より劣化していると判定した場合に、前記送信中のパケット信号を構成する伝送単位のうち前記判定以降に送信する伝送単位に対する送信電力制御を停止する工程と、
前記送信中のパケット信号の次に送信するパケット信号の最初の伝送単位に対して、前記送信中のパケット信号を構成する伝送単位に対する送信電力制御情報であって前記判定以降に受信する送信電力制御情報に基づいた送信電力制御を行う工程と、
を具備することを特徴とする送信電力制御方法。
【発明の詳細な説明】
【０００１】
【発明の属する技術分野】
本発明は、無線通信システムにおいて使用されるパケット通信装置及び送信電力制御方法に関する。
【０００２】
【従来の技術】
パケット通信では、送信局から伝送されたパケットあるいはパケットを分割した伝送単位が、伝搬路を介してデータ誤り無く受信局で受信される必要がある。このため、一般に、送信局では、伝送単位毎に誤り訂正符号化し、受信局では、伝送単位毎に誤り検出・訂正を行っている。
【０００３】
パケット伝送中に、伝送単位に誤り訂正符号の能力を越える誤りが発生し、その誤りの訂正が不能になることがある。このような場合には、そのパケットは受信局で破棄され、受信局から送信局にそのパケットの再送要求がなされる。
【０００４】
伝搬路の状況が刻々変化する無線通信においてパケット通信を行う場合、安定した通信を行うためには、上記誤り訂正符号化に加えて、電力制御を行う方法が挙げられる（特開平９−２３３０２１号公報）。この電力制御は、受信信号から伝搬路の品質を推定し、その推定された品質に応じて伝搬路の劣化を補正することにより行う。
【０００５】
具体的には、受信局において、パケット又は伝送単位の受信品質を検出し、その受信品質に基づいて伝搬路の状況を推定し、この伝搬路の状況に応じて電力制御情報を生成し、この電力制御情報を含む信号を送信局に送る。送信局においては、この電力制御情報に基づいて送信電力を調整する。
【０００６】
【発明が解決しようとする課題】
図７は、長期間にわたって伝搬路品質が劣化した場合の従来のパケット通信装置における受信品質及び電力制御状況を示す概略図である。図中７０１は送信パケットを示し、７０２は伝送単位を示す。また、７０３はパケット受信局における受信品質の推移を示す。
【０００７】
送信パケット７０１又は伝送単位７０２の送信において、受信品質が劣化すると、すなわち受信品質７０３が低下すると、送信局において送信電力を増加させる制御が複数回連続して行われる。この制御にしたがって、送信局では、図７に示すように、送信電力を連続して増加させる。
【０００８】
しかしながら、そのような送信電力増加の制御が連続する状況においては、送信電力を増加させる以前の受信伝送単位に誤りがある、もしくは送信電力を増加させてもその伝送単位には訂正不能な誤りが生じており、パケットを構成することができずにそのパケットの再送が必要になる、ことが多いと考えられる。
【０００９】
そのため、受信品質に基づいて電力制御を行って送信電力を増加させても、送信電力を増加させる以前の受信伝送単位に誤りがあったり、伝送単位に訂正不能な誤りが生じて、パケットの再送が必要な場合には、受信された伝送単位の誤りによるパケットの再送が避けられないことがあり、また送信電力を増すことにより周辺の通信局への干渉が増加することがある。したがって、このような場合では、無駄な電力を用いてしまうことになり、効率的なパケット通信が行われないという問題がある。
【００１０】
本発明はかかる点に鑑みてなされたものであり、バッテリーセービングを実現でき、しかも他の通信局への干渉を余計に増加させることが無い、効率的なパケット通信装置及び送信電力制御方法を提供することを目的とする．
【００１１】
【課題を解決するための手段】
本発明のパケット通信装置は、パケット信号を構成する複数の伝送単位を順に送信する送信手段と、通信相手局から受信される送信電力制御情報に基づいて、送信中のパケット信号の品質が前記通信相手局において所定品質より劣化しているか否かを判定する判定手段と、前記送信中のパケット信号の品質が所定品質より劣化していると判定された場合に、前記送信中のパケット信号を構成する伝送単位のうち前記判定以降に送信される伝送単位に対する送信電力制御を停止し、前記送信中のパケット信号の次に送信されるパケット信号の最初の伝送単位に対して、前記送信中のパケット信号を構成する伝送単位に対する送信電力制御情報であって前記判定以降に受信される送信電力制御情報に基づいた送信電力制御を行う制御手段と、を具備する構成を採る。
【００１４】
本発明のパケット通信装置は、前記判定以降に受信される送信電力制御情報を格納する格納手段、をさらに具備し、前記制御手段は、前記格納手段に格納された送信電力制御情報を、前記パケット信号の次に送信されるパケット信号の最初の伝送単位に対して一括して反映させる構成を採る。
【００１５】
これらの構成によれば、パケット信号の品質が劣化したときに、電力制御を停止して電力制御情報のみを蓄積するので、送信電力を増加させないで無駄な電力消費を抑えることができる。さらに、劣悪な通信回線においても無理に大きな電力で送信を行わないので、周辺の通信局に対する干渉を低減し、パケット通信の効率を上げるとともに、総送信電力を低減してバッテリーセービングを図ることができる。
そして、蓄積した電力制御指示情報を次のパケットの伝送単位に反映させるので、確実にパケットを伝送することが可能となる。また、次のパケット信号から適正な送信電力制御を行うことができ、他への干渉を低減させながら、効率の良い通信を行うことができる。
【００１６】
本発明のパケット通信装置は、前記制御手段は、前記パケット信号の品質が劣化していると判定された場合に、前記複数の伝送単位のうち前記判定以降に送信される伝送単位の制御チャネル部分のみに対して、前記判定以降に受信される送信電力制御情報に基づいた送信電力制御を行う制御チャネル電力制御手段と、前記複数の伝送単位のうち前記判定以降に送信される伝送単位のデータチャネル部分に対する送信電力制御を停止し、前記パケット信号の次に送信されるパケット信号の最初の伝送単位のデータチャネル部分の送信電力を、前記パケット信号の最後の伝送単位の制御チャネル部分の送信電力に基づいて設定するデータチャネル電力制御手段と、を具備する構成を採る。
【００１７】
この構成によれば、劣悪な通信回線において、パイロット信号部分とデータ信号部分の送信電力を別々に制御することによって、電力制御を正しく動作続行させることができ、かつ無理に大きな電力で送信を行わないようにすることができる。これにより、周辺の通信局に対する干渉を低減して、パケット通信の効率を上げるとができ、次パケットの送信において、より適切な送信電力制御を行うことが可能となる。
【００１８】
本発明のパケット通信装置においては、前記データチャネル電力制御手段は、前記パケット信号の次に送信されるパケット信号の最初の伝送単位のデータチャネル部分の送信電力を、前記パケット信号の最後の伝送単位の制御チャネル部分の送信電力に一致させることが好ましい。
【００２０】
本発明のパケット通信装置においては、前記判定手段は、送信電力を増加させる旨の送信電力制御情報が所定の回数連続して受信された場合に、前記パケット信号の品質が前記通信相手局において所定品質より劣化していると判定することが好ましい。
【００２２】
本発明の送信電力制御方法は、パケット信号を構成する複数の伝送単位を順に送信する工程と、通信相手局から受信する送信電力制御情報に基づいて、送信中のパケット信号の品質が前記通信相手局において所定品質より劣化しているか否かを判定する工程と、前記送信中のパケット信号の品質が所定品質より劣化していると判定した場合に、前記送信中のパケット信号を構成する伝送単位のうち前記判定以降に送信する伝送単位に対する送信電力制御を停止する工程と、前記送信中のパケット信号の次に送信するパケット信号の最初の伝送単位に対して、前記送信中のパケット信号を構成する伝送単位に対する送信電力制御情報であって前記判定以降に受信する送信電力制御情報に基づいた送信電力制御を行う工程と、を具備する。
【００２３】
この方法によれば、パケット信号の品質が劣化したときに、電力制御を停止して電力制御情報のみを蓄積するので、送信電力を増加させないで無駄な電力消費を抑えることができる。また、劣悪な通信回線においても無理に大きな電力で送信を行わないので、周辺の通信局に対する干渉を低減し、パケット通信の効率を上げるとともに、総送信電力を低減してバッテリーセービングを図ることができる。
【００２４】
さらに、蓄積した電力制御指示情報を次のパケットの伝送単位に反映させるので、確実にパケットを伝送することが可能となる。また、次のパケット信号から適正な送信電力制御を行うことができる。このため、他への干渉を低減させながら、効率の良い通信を行うことができる。
【００２８】
【発明の実施の形態】
本発明の骨子は、通信回線の状況が劣悪な状態において、そのパケットの以降の伝送単位では送信電力を増加させずに、電力制御情報を蓄積し、次のパケットの伝送時に制御情報を反映させて、周辺の通信局に対する干渉を低減し、パケット通信の効率を上げるとともに、総送信電力を低減してバッテリーセービングを図ることである。
【００２９】
以下、本発明の実施の形態について、添付図面を参照して詳細に説明する。
（実施の形態１）
実施の形態１では、送信電力増加の制御を複数回にわたり連続して受けたパケットについては、受信後にパケットを構成不能な誤りが含まれており、再送される確率が高いものと判断し、そのパケットの以降の伝送単位では送信電力を増加させずに、電力制御情報を蓄積し、次のパケットの伝送時に制御情報を反映させる構成について説明する。
【００３０】
図１は、本発明の実施の形態１に係るパケット通信装置の構成を示すブロック図である。
【００３１】
通信相手から送信された信号は、アンテナ１０１を介して無線受信部１０２で受信される。無線受信部１０２において、受信信号に対して、増幅（利得制御）、ダウンコンバート、及びＡ／Ｄ変換の各処理が行われる。このＡ／Ｄ変換後の信号は、復調部１０５に送られ、復調処理されて受信データとして得られる。また、Ａ／Ｄ変換後の信号は、受信品質検出部１０３に送られると共に、送信電力情報抽出部１０６に送られる。
【００３２】
受信品質検出部１０３においては、例えばＳＩＲ（Ｓｉｇｎａｌ  ｔｏ  Ｉｎｔｅｒｆｅｒｅｎｃｅ  Ｒａｔｉｏ）や受信電力などが測定されて受信品質が検出される。この受信品質の検出結果は、判定部１０４に送られる。判定部１０４では、検出結果に基づいて送信電力を上げるか、維持するか、下げるかの判定を行い、送信電力指示情報を変調部１０８に送る。
【００３３】
送信電力情報抽出部１０６においては、Ａ／Ｄ変換後の信号から送信電力指示情報を抽出する。この送信電力指示情報は、送信電力制御部１０７のカウンタ１０７１に入力される。
【００３４】
送信電力制御部１０７においては、入力される送信電力指示情報をカウンタ１０７１で計数する。送信電力制御部１０７の計数制御部１０７２は、送信電力指示情報にしたがって無線送信部１０９に対して送信電力を制御すると共に、カウンタ１０７１のカウンタ数を監視して送信電力の開始・停止を指示する。また、計数制御部１０７２は、カウンタ１０７１のリセットも行う。メモリ１０７３は、送信電力指示情報を格納する。
【００３５】
一方、送信データは、送信電力指示情報と共に変調部１０８に送られて、変調処理され、無線送信部１０９に送られる。無線送信部１０９では、変調された信号に対して、Ｄ／Ａ変換、アップコンバート、及び増幅（利得制御）の各処理が行われる。このような処理された信号は、送信信号としてアンテナ１０１を介して送信される。
【００３６】
上記構成を有するパケット通信装置の動作について説明する。
無線受信部１０２において受信信号に対して所定の処理を行った後に、この信号を送信電力情報抽出部１０６に送る。送信電力情報抽出部１０６で抽出された送信電力指示情報は、送信電力制御部１０７のカウンタ１０７１に入力される。送信電力制御部１０７では、送信電力指示情報にしたがって、送信電力の増減の指示を無線送信部１０９に送ると共に、電力増加の指示情報をある特定の回数連続して受け取ったときに、パケットにおけるそれ以降の伝送単位については送信電力を増加させず、その電力制御情報をメモリ１０７３に蓄積し、次のパケット送信開始時に、一括して反映させる。
【００３７】
具体的には、まず、カウンタ１０７１は、「電力を上げろ」という送信電力指示情報が連続する回数を計数する。計数制御部１０７２は、電力増加の指示情報がある特定の回数連続するかどうかを監視する。例えば、電力増加の指示情報のカウント数についてしきい値判定を行う。
【００３８】
そして、電力増加の指示情報がある特定の回数連続している状態を検知すると、例えば、電力増加の指示情報の回数が所定のしきい値を越えると、そのパケットにおける以降の伝送単位については電力増加の指示信号を無線送信部１０９に伝えず、指示情報をメモリ１０７３に格納する。その後、次のパケットの送信時において、メモリ１０７３に格納した指示情報を取り出して、その指示情報全てを反映させるように無線送信部１０９に指示信号を送る。
【００３９】
一方、電力増加の指示情報がある特定の回数連続していなければ、送信電力指示情報にしたがって無線送信部１０９に対して電力増減の指示信号を送る。無線送信部１０９では、アンプなどの利得制御器により、指示信号にしたがって利得を調整して送信電力制御を行う。
【００４０】
この電力制御は、図２に示すようにして行われる。パケット２０１を複数の伝送単位２０２に分割して順次伝送する際、伝搬路の変動により受信品質２０３が劣化すると、送信電力制御により、送信電力を増加するように電力制御の指示情報が送られる。この場合、電力増加の指示が特定回数続くと（図２においては４回）、送信電力制御を停止する。図２においては、パケットの最後の伝送単位が送信電力制御されない。この場合、パケットの最後の伝送単位の電力制御の指示情報は、メモリに格納されており、次のパケットの先頭の伝送単位の送信電力制御に反映される。これにより、次のパケット信号から適正な送信電力制御が行われることになる。このため、他への干渉を低減させながら、効率の良い通信を行うことができる。
【００４１】
次に、上記送信電力制御方法について、図３のフロー図を用いて説明する。
ステップ（以下、ＳＴと省略する）３０１では、受信信号から電力制御指示情報を抽出する。ＳＴ３０２では、この電力制御指示情報が所定回数連続したことを示すフラグがセットされているかどうかを判断する。
【００４２】
この連続フラグがセットされていなければ、電力制御指示情報が電力増加であり、かつ、電力増加指示が所定回連続するかどうかを判断する（ＳＴ３０３）。電力増加指示が所定回連続していれば、連続フラグをセットし（ＳＴ３０４）、電力増加指示が所定回連続していなければ、電力制御指示情報にしたがって電力制御を行う（ＳＴ３０７）。また、連続フラグがセットされていれば、電力制御指示情報をメモリに格納し（ＳＴ３０５）、電力制御を停止する（ＳＴ３０６）。
【００４３】
電力増加指示が所定回連続している場合には、電力制御指示情報をメモリに格納し（ＳＴ３０５）、電力制御を停止する（ＳＴ３０６）。そして、メモリに格納した電力制御指示情報は、次のパケットの先頭の伝送単位の送信電力制御に反映させる。
【００４４】
送信電力増加の制御が連続する状態とは、送信電力を増加させることによっても、伝搬路の悪化による受信信号品質の劣化を補いきれていない状態が続いていることを示しており、この場合には、伝送単位が正しく受信されておらず、パケットは結局再送となる確率が高いと考えられる。
【００４５】
本実施の形態に係る送信電力制御方法によれば、連続する電力制御指示情報をカウントし、ある特定の回数以上に電力増加の制御情報が続いたときに、電力制御を停止して電力制御情報のみを蓄積するので、送信電力を増加させないで無駄な電力消費を抑えることができる。また、蓄積した電力制御指示情報を次のパケットの伝送単位に反映させるので、確実にパケットを伝送することが可能となる。
【００４６】
さらに、劣悪な通信回線においても無理に大きな電力で送信を行わないので、周辺の通信局に対する干渉を低減し、パケット通信の効率を上げるとともに、総送信電力を低減してバッテリーセービングを図ることができる。
【００４７】
（実施の形態２）
実施の形態２においては、送信電力増加の制御を複数回にわたり連続して受けたパケットについては、そのパケットの以降の伝送単位では受信側で受信品質の判定に用いるパイロット信号部分のみ送信電力を増加させ、次のパケットの伝送時に直前のパイロット信号部分の送信電力を伝送単位全体に反映させる構成について説明する。
【００４８】
図４は、本発明の実施の形態２に係るパケット通信装置の構成を示すブロック図である。なお、図４において、図１に示す構成と同一の部分については同一の符号を付して、その詳細な説明は省略する。
【００４９】
図４に示す構成においては、送信電力制御部４０１の構成が図１に示す構成と異なる。すなわち、電力指示情報を計数するカウンタ４０１１と、カウンタ４０１１のカウント数にしたがって、例えばパイロット信号を伝送する制御チャネルの送信電力の増減と、データを伝送するデータチャネルの送信電力の増減とを独立して制御する制御部４０１２とを有する。
【００５０】
この構成を有するパケット通信装置の動作について説明する。
無線受信部１０２において受信信号に対して所定の処理を行った後に、この信号を送信電力情報抽出部１０６に送る。送信電力情報抽出部１０６で抽出された送信電力指示情報は、送信電力制御部４０１のカウンタ４０１１に入力される。送信電力制御部４０１では、送信電力指示情報にしたがって、制御チャネルについては、送信電力の増減の指示を無線送信部１０９に送ると共に、データチャネルについては、電力増加の指示情報をある特定の回数連続して受け取ったときに、パケットにおけるそれ以降の伝送単位については送信電力を増加させない。そして、制御チャネルについては、次のパケットの伝送単位の送信開始時に、直前の制御信号部分の送信電力を、データチャネルの信号部分（データ信号部分）の送信電力に反映させる。
【００５１】
具体的には、まず、カウンタ４０１１は、データチャネルについて、「電力を上げろ」という送信電力指示情報が連続する回数を計数する。計数制御部４０１２は、その電力増加の指示情報がある特定の回数連続するかどうかを監視する。例えば、電力増加の指示情報のカウント数についてしきい値判定を行う。
【００５２】
そして、電力増加の指示情報がある特定の回数連続している状態を検知すると、例えば、電力増加の指示情報の回数が所定のしきい値を越えると、そのパケットにおける以降の伝送単位については電力制御を停止する指示信号を無線送信部１０９に送る。
【００５３】
一方、制御チャネルについては、送信電力指示情報にしたがって無線送信部１０９に対して電力増減の指示信号を送る。無線送信部１０９では、アンプなどの利得制御器により、指示信号にしたがって利得を調整して送信電力制御を行う。
【００５４】
その後、計数制御部４０１２は、制御チャネルについて、次のパケットの伝送単位の送信開始時に、直前の制御信号部分（例えばパイロット信号部分）の送信電力を、データ信号部分の送信電力に反映させるように無線送信部１０９に指示する。
【００５５】
この電力制御は、図５に示すようにして行われる。パケット５０１を複数の伝送単位５０２に分割して順次伝送する際、伝搬路の変動により受信品質５０３が劣化すると、送信電力制御により、送信電力を増加するように電力制御の指示情報が送られる。
【００５６】
この場合、電力増加の指示が特定回数続くと（図５においては４回）、データ信号については、送信電力制御を停止する。図５においては、パケットの最後の伝送単位が送信電力制御されない。一方、制御チャネルを伝送するパイロット信号については、各伝送単位に対して電力指示情報にしたがって送信電力制御が行われる。そして、データチャネルに対しては、次のパケットの先頭の伝送単位で、直前のパイロット信号の電力指示情報にしたがって送信電力制御が行われる。すなわち、データ信号については、図５におけるＨの送信電力指示情報分が次のパケットの先頭の伝送単位に反映される。
【００５７】
次に、上記送信電力制御方法について、図６のフロー図を用いて説明する。
ＳＴ６０１では、受信信号から電力制御指示情報を抽出する。ＳＴ６０２では、この電力制御指示情報が所定回数連続したことを示すフラグがセットされているかどうかを判断する。
【００５８】
この連続フラグがセットされていなければ、電力制御指示情報が電力増加であり、かつ、電力増加指示が所定回連続するかどうかを判断する（ＳＴ６０３）。連続フラグがセットされていれば、制御チャネルのパイロット信号部分のみに対して電力制御指示情報にしたがって送信電力制御を行う（ＳＴ６０５）。すなわち、データチャネルの信号部分に対しては送信電力制御を停止する。
【００５９】
また、電力増加指示が所定回連続していれば、連続フラグをセットし（ＳＴ６０４）、制御チャネルのパイロット信号部分のみに対して電力制御指示情報にしたがって送信電力制御を行う（ＳＴ６０５）。すなわち、データ信号部分に対しては送信電力制御を停止する。
【００６０】
電力増加指示が所定回連続していなければ、電力制御指示情報にしたがって、データチャネル及び制御チャネルに対して伝送単位毎に電力制御を行う（ＳＴ６０６）。
【００６１】
送信電力増加の制御が連続する状態とは、送信電力を増加させることによっても、伝搬路の悪化による受信信号品質の劣化を補いきれていない状態が続いていることを示しており、この場合には、伝送単位が正しく受信されておらず、パケットは結局再送となる確率が高いと考えられる。
【００６２】
本実施の形態に係る送信電力制御方法によれば、連続する電力制御指示情報をカウントし、ある特定の回数以上に電力増加の制御情報が続いたときに、パイロット信号部分の送信電力のみを増加させ、データ信号部分の送信電力は増加させない。これにより、パイロット信号部分から受信品質を判断する受信局との間では、電力制御を正しく動作続行させることができ、かつ無理に大きな電力で送信を行わない。その結果、周辺に対する干渉を低減し、パケット通信の効率を上げることが可能となる。さらに、データ信号部分の送信電力制御開始時にパイロット信号部分の電力制御指示情報を反映させることにより、確実にパケットを伝送するとが可能となる。
【００６３】
このように、劣悪な通信回線において、パイロット信号部分とデータ信号部分の送信電力を別々に制御することによって、電力制御を正しく動作続行させることができ、かつ無理に大きな電力で送信を行わないようにすることができる。これにより、周辺の通信局に対する干渉を低減して、パケット通信の効率を上げるとができ、次パケットの送信において、より適切な送信電力制御を行うことが可能となる。
【００６４】
上記実施の形態１，２のパケット通信装置は、ディジタル無線通信システムにおける移動局装置のような通信端末装置や基地局装置に適用することができる。これにより、無駄な電力を用いずに、効率の良い無線通信を実現することができる。
【００６５】
本発明は、上記実施の形態に限定されず種々変更して実施することが可能である。例えば、上記実施の形態においては、品質劣化の判定方法として、送信電力を増加する旨の指示が連続する数をカウントする方法を用いた場合について説明しているが、本発明は、品質劣化の判定方法として他の方法を採用しても良い。すなわち、本発明においては、品質劣化の判定方法については、特に制限はない。
【００６６】
【発明の効果】
以上説明したように本発明のパケット通信装置は、パケット通信に対応した電力制御が可能であり、通信路品質の劣化を補償するための過剰な電力制御を抑えることができ、しかも周辺通信局への干渉電力の低減、並びに総送信電力の低減を図ることができる。
【図面の簡単な説明】
【図１】本発明の実施の形態１に係るパケット通信装置の構成を示すブロック図
【図２】上記実施の形態に係るパケット通信装置の受信品質及び電力制御状況を示す概略図
【図３】上記実施の形態に係るパケット通信装置の動作を説明するためのフロー図
【図４】本発明の実施の形態２に係るパケット通信装置の構成を示すブロック図
【図５】上記実施の形態に係るパケット通信装置の受信品質及び電力制御状況を示す概略図
【図６】上記実施の形態に係るパケット通信装置の動作を説明するためのフロー図
【図７】従来のパケット通信装置の受信品質及び電力制御状況を示す概略図
【符号の説明】
１０１  アンテナ
１０２  無線受信部
１０３  受信品質検出部
１０４  判定部
１０５  復調部
１０６  送信電力情報抽出部
１０７，４０１  送信電力制御部
１０８  変調部
１０９  無線送信部
１０７１，４０１１  カウンタ
１０７２，４０１２  計数制御部
１０７３  メモリ
２０１，５０１  パケット
２０２，５０２  伝送単位
２０３，５０３  受信品質
【図１】
0003631049.tif 000002
【図２】
0003631049.tif 000003
【図３】
0003631049.tif 000004
【図４】
0003631049.tif 000005
【図５】
0003631049.tif 000006
【図６】
0003631049.tif 000007
【図７】
0003631049.tif 000008